(57)【要約】【課題】開閉蓋を開き方向に付勢するゴム板の形状をシンプルな形状にしながらも、ゴム板長さ方向での曲がり部分の長さを長くし、ゴム板全体で開閉蓋を開き方向に付勢できるようにし、収納箱における枢支部の盛り上がりを生じさせずに、スムーズに開閉蓋の開きが行えるようにする。【解決手段】開閉蓋付勢手段１６のゴム板１８からなる張り出し領域部２１に、開閉蓋の閉時のゴム板折り曲がり幅方向Ｃが、ゴム板中央の横曲がり部２５でのゴム板折り曲がり幅方向Ｂと異なって枢支部の長手方向Ａに対して傾斜して、横曲がり部２５の中心側に向いた方向である傾斜曲がり部２７を設けた。【選択図】図４
2018131247.tif 000002
【特許請求の範囲】
【請求項１】
取り出し口を有する蓋本体と前記取り出し口を開閉可能に覆う開閉蓋とからなり、前記蓋本体と開閉蓋とがこの蓋本体と開閉蓋との間に設けられた枢支部を介して連結されて、前記蓋本体に開閉蓋が回動可能に取り付けられており、前記蓋本体と開閉蓋との間に、開閉蓋を常時開き方向に付勢する開閉蓋付勢手段が設けられている蓋構造体において、
前記開閉蓋付勢手段は、蓋本体の枢支部側の部分から開閉蓋側に向けて弾性部材であるゴム板を張り出して、張り出し先端を開閉蓋の枢支部側の部分に接させた弾性変形可能な張り出し領域部を備え、
前記張り出し領域部は、ゴム板を前記枢支部の長手方向の断面形状を略弧形にして曲成されており、
この張り出し領域部における蓋本体側の部分と開閉蓋に接する開閉蓋側の部分との間の中間部分に、開閉蓋の閉時のゴム板折り曲がり幅方向が枢支部の長手方向に沿う横曲がり部が位置し、
張り出し領域部における蓋本体側の部分の両側部分に、開閉蓋の閉時のゴム板折り曲がり幅方向が、前記横曲がり部でのゴム板折り曲がり幅方向と異なって枢支部の長手方向に対して傾斜して、横曲がり部の中心側に向いた方向である傾斜曲がり部が位置していることを特徴とする蓋構造体。
【請求項２】
上記横曲がり部と上記傾斜曲がり部との間に、この横曲がり部と傾斜曲がり部とが連続する連続曲がり部が位置している請求項１に記載の蓋構造体。
【請求項３】
上記開閉蓋付勢手段は、ゴム板を上記蓋本体に取り付けるゴム板取付具を有している請求項１または２に記載の蓋構造体。
【請求項４】
上記ゴム板取付具は、ゴム板を枢支部の長手方向の断面形状が略弧形となるように曲げる弧形形成部を備えている請求項３に記載の蓋構造体。
【請求項５】
上記張り出し領域部は、張り出し先端に向けて先細りした形状とされている請求項１から４の何れか一項に記載の蓋構造体。
【発明の詳細な説明】
【技術分野】
【０００１】
本発明は、収容物を取り出すための取り出し口を有する収納箱などに構成することができて、取り出し口を覆う開閉蓋を有する蓋構造体に関するものである。
【背景技術】
【０００２】
従来から、柔軟な袋入りのウエットティシュを一枚ずつ取り出すことができるようにした収納箱が多く流通している。この種の収納箱では、取り出し口を開閉蓋で覆う構造としており、収納箱の取り出し口を覆うことでウエットティシュが乾燥しないようにしている。そして開閉蓋の開き操作を簡便にするために、開閉蓋を常時開き方向に付勢する開閉蓋付勢手段を設ける工夫が行われている。
【０００３】
例えば特許文献１では、可撓性を有していて折り曲げることで復元力が発生する弾性部材であるゴム板を短冊状にし、このゴム板を、収納箱の天面として構成されて上記取り出し口が開口されている蓋本体側に留め付けるとともに、ゴム板の自由端を開閉蓋に接しさせていて、これによって開閉蓋付勢手段を備えるものとしている点が示されており、この短冊状のゴム板を、ゴム板長手方向に直交する方向での断面形状が略弧形にして長手方向に亘る全体を樋状にした点も示されている。
【０００４】
また特許文献２では、ゴム板長手方向中央位置で略Ｕ字状の曲がりを持った状態で収納箱の天面側（蓋本体側）から開閉蓋にかけて取り付けて、開閉蓋を閉じたときに、開閉蓋側のゴム板取付位置と、前記ゴム板長手方向中央位置と、蓋本体側のゴム板取付位置とのゴム板長手方向の順に並ぶ三か所それぞれで、曲がり部分の折り目方向が開閉蓋枢軸方向に沿った曲がり変形をするようにしていて、側方から見た状態でＳ字を繰り返した曲がり変形をする点が示されており、そのゴム板長手方向中央位置で略Ｃ字状に丸く曲がり変形した部分が蓋本体側の凹所に収容されるようにした工夫が示されている。
【先行技術文献】
【特許文献】
【０００５】
【特許文献１】特開２００３−０９５３０１号公報
【特許文献２】特開２０１１−１６８３４１号公報
【発明の概要】
【発明が解決しようとする課題】
【０００６】
ところで、上記開閉蓋付勢手段を備える包装箱は、内部に袋入りのウエットティシュを配して使用されるが、ウエットティシュ入りの商品として一般小売店舗で陳列されている時には開閉蓋が閉じられた形態である。また商品の購入者も、必要時にのみ開閉蓋を開いてウエットティシュを取り出すことになるので、商品の購入後も開閉蓋が閉じられた状態が多くなる。
【０００７】
このように上記商品は、収納する物品が時折、使用されるものであることから、開閉蓋を閉じた状態が長時間に及ぶのが実情である。そのため、ゴム板を短冊状にして開閉蓋を閉じているときにそのゴム板が単にく字状に曲がる構成の開閉蓋付勢手段にあっては、ゴム板の曲がり部分に早期に折り癖が付いてしまい、収納箱を長期に使用すると、ゴム板の曲がり部分での復元力が消失し、その収納箱を長期に使用すればするほど、開閉蓋がスムーズには開き難くなるという問題がある。
【０００８】
この対策としては、ゴム板を厚くしたりゴム質の硬度が高い素材からなるゴム材を用いるなどして、ゴム板の復元力を大きくすることが考えられる。しかし、復元力を大きくすると、折り曲げられているときの反発力（復元力）が開閉蓋の枢支部を持ち上げてしまい、その開閉蓋の枢支部が盛り上がって商品形態を損なってしまうという新たな問題が生じる。
【０００９】
もちろん、この開閉蓋の枢支部が盛り上がって商品形態を損なうという点は、購入者が商品を購入した後においても起こり得る不具合である。
【００１０】
また、上述したＳ字を繰り返すようにゴム板長手方向に並ぶ多数箇所で曲がり変形が生じるようにした開閉蓋付勢手段は、ゴム板を一方向に長くしてＳ字の繰り返しの折り曲げを行なってゴム板の長さ方向に順に多数箇所で折り曲がりが得られるようにして、各折り曲がり部分によるループに応力を分散させて応力集中による折り癖が付かないようにしている。
【００１１】
即ち、曲がり部分の合計の長さを長くすれば、折り癖が付き難くなるメリットが大きくなる。しかし、ゴム板の長さ方向に順に多数箇所で折り曲がりを得るようにしている形状であることから、収納箱の組み立てに際して、その一方向に長いゴム板の取付作業が非常に煩雑になってしまうという問題がある。
【００１２】
そこで本発明は上記事情に鑑み、上記ゴム板自体の形状をシンプルな形状にしながらも、開閉蓋の閉じによる応力の集中部分、即ち復元力が高まる部分を、枢支部の長手方向に折り目が沿う部分ばかりでなくそのゴム板の多数箇所に分散させて、ゴム板長さ方向での曲がり部分の長さを長くし、ゴム板全体で開閉蓋を開き方向に付勢できるようにすることを課題とし、収納箱における枢支部の盛り上がりを生じさせずに、スムーズに開閉蓋の開きが行える収納箱を提供することを目的とするものである。
【課題を解決するための手段】
【００１３】
（請求項１の発明）
本発明は上記課題を考慮してなされたもので、取り出し口を有する蓋本体と前記取り出し口を開閉可能に覆う開閉蓋とからなり、前記蓋本体と開閉蓋とがこの蓋本体と開閉蓋との間に設けられた枢支部を介して連結されて、前記蓋本体に開閉蓋が回動可能に取り付けられており、前記蓋本体と開閉蓋との間に、開閉蓋を常時開き方向に付勢する開閉蓋付勢手段が設けられている蓋構造体において、
前記開閉蓋付勢手段は、蓋本体の枢支部側の部分から開閉蓋側に向けて弾性部材であるゴム板を張り出して、張り出し先端を開閉蓋の枢支部側の部分に接させた弾性変形可能な張り出し領域部を備え、
前記張り出し領域部は、ゴム板を前記枢支部の長手方向の断面形状を略弧形にして曲成されており、
この張り出し領域部における蓋本体側の部分と開閉蓋に接する開閉蓋側の部分との間の中間部分に、開閉蓋の閉時のゴム板折り曲がり幅方向が枢支部の長手方向に沿う横曲がり部が位置し、
張り出し領域部における蓋本体側の部分の両側部分に、開閉蓋の閉時のゴム板折り曲がり幅方向が、前記横曲がり部でのゴム板折り曲がり幅方向と異なって枢支部の長手方向に対して傾斜して、横曲がり部の中心側に向いた方向である傾斜曲がり部が位置していることを特徴とする蓋構造体を提供して、上記課題を解消するものである。
【００１４】
（請求項２の発明）
そして本発明において、上記横曲がり部と上記傾斜曲がり部との間に、この横曲がり部と傾斜曲がり部とが連続する連続曲がり部が位置していることが良好である。
【００１５】
（請求項３の発明）
また本発明において、上記開閉蓋付勢手段は、ゴム板を上記蓋本体に取り付けるゴム板取付具を有していることが良好である。
【００１６】
（請求項４の発明）
さらに、上記ゴム板取付具は、ゴム板を枢支部の長手方向の断面形状が略弧形となるように曲げる弧形形成部を備えているものとすることが可能である。
【００１７】
（請求項５の発明）
また本発明において、上記張り出し領域部は、張り出し先端に向けて先細りした形状とされていることが良好である。
【発明の効果】
【００１８】
（請求項１の発明の効果）
請求項１の発明によれば、開閉蓋が閉じられているときに、開閉蓋付勢手段における張り出し領域部の横曲がり部と傾斜曲がり部との複数個所が折り曲がって、それぞれでの復元力（反発力）が合わされて開閉蓋を開き方向に付勢することとなり、横曲がり部のみの復元力で開閉蓋を開き方向に付勢する構成に比べてそれぞれの曲がり部のゴム板に応力の集中が生じなくなる。
【００１９】
これによって横曲がり部と傾斜曲がり部とに折り癖が付かなくなり、長期間に亘って開閉蓋を開き方向に付勢する力を保つことができるようになるという優れた効果を奏する。
【００２０】
（請求項２の発明の効果）
請求項２の発明によれば、張り出し領域部の張り出し方向における曲がり部分の合計の長さが長くなり、ゴム板に折り癖が付き難くなって復元力の喪失を抑えることができる。
【００２１】
（請求項３の発明の効果）
請求項３の発明によれば、開閉蓋付勢手段を蓋体本体と開閉蓋との間にゴム板を簡単に配置することができるという効果を奏する。
【００２２】
（請求項４の発明の効果）
請求項４の発明によれば、ゴム板自体は平板のものを採用することができ、開閉蓋付勢手段を安価に形成できるという効果を奏する。さらにゴム板取付具がゴム板を略弧形に曲げるので、曲成された張り出し領域部を簡単に形成できるという効果を奏する。
【００２３】
（請求項５の発明の効果）
請求項５の発明によれば、ゴム板の張り出しからなる張り出し領域部が先端に向けて先細りした形状に設けられているので、開いている開閉蓋を閉じる方向に戻す際、開閉蓋に加えられている開閉蓋付勢手段からの付勢力が小さくなっており、大きく開いている開閉蓋を、閉じ方向に簡単にして小さい力で動かすことができるという効果を奏する。
【図面の簡単な説明】
【００２４】
【図１】本発明の蓋構造体を有する収納箱の一例を示すもので、開閉蓋が開いた状態を示す説明図である。
【図２】収納箱を断面で示す説明図である。
【図３】蓋構造体における開閉蓋付勢手段を示すもので、（ａ）は開閉蓋付勢手段のゴム板取付具にゴム板を差し入れる状態を示す説明図、（ｂ）は開閉蓋付勢手段を蓋本体に取り付ける状態を示す説明図、（ｃ）は開閉蓋付勢手段が取り付けられた蓋本体の枢支部を示す説明図である。
【図４】開閉蓋付勢手段を上方から見た状態で示す説明図である。
【図５】開閉蓋付勢手段の張り出し領域部が折り曲げられている状態を示す説明図である。
【発明を実施するための形態】
【００２５】
つぎに本発明を図１から図５に示す実施の形態に基づいて詳細に説明する。図中１は収納箱で、該収納箱１は、中央に取り出し口２を配して四方には下方に延設された周壁３が一体に連続している下開きの箱状の蓋本体４と、この蓋本体４の周壁３の下端と連結されて蓋本体４の下面を覆う底板５とからなるものである。
【００２６】
本実施の形態において、収納箱１にあっては蓋本体４と底板５で構成される収納空間に、図２に示されているように袋入りウエットティシュ製品ａを収容して、ウエットティシュを一枚ずつ取り出し口２から取り出して使用するものである。なお、この実施の形態では、収容する物品を袋入りウエットティシュ製品として説明するが、取り出し口２を通して一枚ずつ取り出すものであれば、袋入りウエットティシュに限定されるものではない。
【００２７】
また収納箱１は、図１に示すように蓋本体４の一方の長辺中央にして前記取り出し口２の側方となる部分に開閉蓋６が枢着されている。開閉蓋６が枢着されている部分を、蓋本体４と開閉蓋６との間に設けられた枢支部１５とし、この枢支部１５を介して蓋本体４に開閉蓋６が回動可能に連結されることによって、取り出し口２が開閉蓋６で開閉可能に覆われるようにしており、ウエットティシュを取り出す取り出し口２を中央に配した前記蓋本体４と取り出し口２を開閉可能に覆う開閉蓋６とで、本発明の蓋構造体７が構成されている。
【００２８】
（膜体）
本実施の形態において、収納箱１では、上記蓋構造体７における取り出し口２に工夫が施されていて、蓋本体４の天面中央に開口された前記取り出し口２には伸縮性を備えて膜体８が取り付けれている。膜体８はポリエチレン樹脂やシリコンゴムなどの軟質素材からなるもので、中央が最下部となるように下方に向けて（底板５側に向けて）凸となる凹面状に形成され、周辺と中央との間の中間領域には、周方向に延びる略Ｚ型のスリットを複数本入れて、周辺から中央に亘る連結板９が形成されており、連結板９の間の開きと連結板９の伸びとによって膜体８の中央を簡単に押し下げることができるように設けられている。
【００２９】
さらに膜体８の中央には透孔１０が開口されている。そのため収容しているウエットティシュが少なくなって底板５側に位置している場合でも、前記透孔１０の部分に指二本の指先などを差し入れながら、図２の矢印で示すように膜体８の中央を押し下げることで、連結板９間の開きと連結板９の伸び、変形によって透孔１０がある膜体中央部分が下がり、少なくなっているウエットティシュをその透孔１０を通して確実につまみ出すことができるようにしている。
【００３０】
膜体８は上述したように下方に向けて凸となる凹面状とされ、閉じた上記開閉蓋６と膜体８との間で、引き出し途中で透孔１０の位置で止まったウエットティシュを外部に食み出させたり開閉蓋周辺で咬み込みさせずに隠ぺいする隠ぺい空間１１が形成されている。
【００３１】
加えて膜体８の周辺に亘って溝１２が形成されているとともに、取り出し口２を覆う開閉蓋６の蓋本体４側の面に設けられた突堤１３が前記溝１２に嵌まり込むように設けられており、溝１２に突堤１３が嵌まることによって蓋本体４と閉じた開閉蓋６との隙間が膜体８で閉じられて、収納空間内の乾燥が起きないように図られている。
【００３２】
（蓋構造体）
蓋本体４と開閉蓋６とからなる蓋構造体７では、閉じた開閉蓋６の自由端側に係脱可能に係止するととに、押し込みによって前記係止が解除できる係止操作部１４が設けられており、この係止操作部１４は、蓋本体４と開閉蓋６との間で開閉蓋６が回動可能に連結されている枢支部１５とは反対側に位置している。
【００３３】
（開閉蓋付勢手段）
さらに蓋構造体７にあっては、上記係止操作部１４とは反対側、即ち枢支部１５側であって蓋本体４の枢支部１５側の部分４ａと開閉蓋６の枢支部１５側の部分６ａとの間に亘って開閉蓋６を常時開き方向に付勢する開閉蓋付勢手段１６が位置している。図１参照
【００３４】
上記開閉蓋付勢手段１６は、図３（ａ）から（ｃ）に示すように蓋本体４の枢支部１５側の部分に取り付けられたゴム板取付具１７とこのゴム板取付具１７に取り付けて後述のゴム板幅方向断面が略弧形になるように曲げられるゴム板１８とからなるものである。
【００３５】
（ゴム板取付具）
ゴム板取付具１７は、例えば合成樹脂材から成形されたもので、上述のように蓋本体４の枢支部１５側の凹所１９に取付配置される。さらにゴム板取付具１７には、ゴム板取付具１７自体の後面から差し入れたゴム板１８を、枢支部１５の長手方向の断面形状を略弧形にして曲げる弧形形成部２０が設けられている。
【００３６】
弧形形成部２０は取付具上板部にあって上方に向けて凸となるアーチ２０ａと、取付具下板部からアーチ２０ａの下面に近付くように立ち上げられた立ちリブ２０ｂとを相対させてなるものであり、差し入れたゴム板１８の後端側部を取付具側部で保持しながら前記アーチ２０ａと立ちリブ２０ｂとでゴム板幅方向中央が持ち上がるように挟み込みすることにより、ゴム板１８が上記断面形状を略弧形にして曲げられる。
【００３７】
（ゴム板）
図３（ａ）に示すようにゴム板１８は、上記ゴム板取付具１７の後面から差し入れてそのゴム板取付具１７の前方に張り出て、張り出し方向に向けて先細りする平面視での略台形状に設けられている。そして図１や図３（ｃ）に示されているようにゴム板取付具１７に支持された状態でゴム板取付具１７から開閉蓋６の枢支部１５側の部分６ａに向けて張り出している。
【００３８】
開閉蓋付勢手段１６は、弾性部材のゴム板１８をゴム板取付具１７から張り出させることによって、張り出し先端を開閉蓋６の枢支部１５側の部分に接させた弾性変形可能な張り出し領域部２１を備えている。そして張り出し領域部２１は、上述したようにゴム板１８が、ゴム板取付具１７にて枢支部１５の長手方向の断面形状を略弧形にして曲げられることから、枢支部１５の長手方向の断面形状を略弧形にして曲成されている。
【００３９】
開閉蓋付勢手段１６に用いられるゴム板１８は、高引き裂き性シリコンゴムと汎用シリコンゴムとを混合して成形された弾性部材である。高引き裂き性シリコンゴムは強度が高い特性を有するものであり、また汎用シリコンゴムについては曲げ易い特性を有するものである。そして前記ゴム板１８については、高引き裂き性シリコンゴムと汎用シリコンゴムとを混合して成形したものとしたが、これに限定されるものではない。例えば、一方の高引き裂き性シリコンゴムでゴム板を得るようにしたり、他方の汎用シリコンゴムでゴム板を得るようにすることも可能である。
【００４０】
なお、張り出し領域部２１が、平板状の弾性部材であるゴム板１８を、ゴム板取付具１７によって枢支部１５の長手方向（ゴム板幅方向）の断面形状が略弧形にして曲げて張り出させたものであることから、ゴム板１８には全体的に平板の状態に戻ろうとする復元力が少なくとも生じている。
【００４１】
そのため、ゴム板取付具１７側の弧形の曲がりに比べて、張り出し先端側での断面形状が平板に近い弧形の曲がり度合いとなる場合もある。勿論、張り出し先端側の部分が開閉蓋６の枢支部１５側の部分に重なるように接する状態では、その張り出し先端側の部分の断面形状は略平板形に変形することになる。
【００４２】
（張り出し領域部）
図４に示すように断面形状略弧形の上記張り出し領域部２１にあっては、蓋本体４における枢支部１５側の部分４ａに対応する部分、即ちゴム板取付具１７側の部分２２と、開閉蓋６における枢支部１５側の部分６ａに重なるようにして接する張り出し先端側の部分（開閉蓋６側の部分）２３との間の中間部分２４に、横曲がり部２５が位置している。
【００４３】
（横曲がり部）
図５では開閉蓋６が閉じられて開閉蓋付勢手段１６の上記張り出し領域部２１（ゴム板１８）が折り曲げられている状態を示している。そして上記横曲がり部２５は、開閉蓋６が閉じられるときに曲がり変形して復元力が生じる部分であり、開閉蓋６の閉時のゴム板折り曲がり幅方向Ｂが枢支部１５の長手方向Ａに沿うことになる部分である。（図４参照）
【００４４】
（傾斜曲がり部）
また張り出し領域部２１にあっては、上記ゴム板取付具１７側の部分２２の両側部分２６それぞれに、傾斜曲がり部２７が位置している。前記傾斜曲がり部２７それぞれは、この傾斜曲がり部２７の位置において、開閉蓋６の閉時のゴム板折り曲がり幅方向Ｃが、上記横曲がり部２５でのゴム板折り曲がり幅方向Ｂ（枢支部１３の長手方向Ａに沿う方向）と異なっており、枢支部１５の長手方向に対して傾斜して横曲がり部２５の中心側に向いた方向となるように設けられている。（図４、５参照）
【００４５】
このように張り出し領域部２１において、ゴム板取付具側の部分２２から張り出し先端側の部分２３にかけて、傾斜曲がり部２７と横曲がり部２５とが順に配置されているので、開閉蓋６を閉じたときにもゴム板自体の反発力による応力集中が横曲がり部２５に生じ難くなるという効果がある。
【００４６】
（連続曲がり部）
また張り出し領域部２１での上記横曲がり部２５と上記傾斜曲がり部２７とは一枚のゴム板１８で繋がっていて、横曲がり部２５と上記傾斜曲がり部２７との間には、横曲がり部２５と傾斜曲がり部２７とが連続する連続曲がり部２８が位置している。
【００４７】
連続曲がり部２８は開閉蓋６を閉じたときに単独で折り曲がる部位ではなく、横曲がり部２５と傾斜曲がり部２７とを連続させて、横曲がり部２５と連続曲がり部２８と傾斜曲がり部２７とで、張り出し方向に沿った断面が一つの略弧形となるように折れ曲がることとなる。
【００４８】
従ってゴム板１８の長手方向（張り出し領域部の張り出し方向）での曲がり部分の長さの合計が長くなり、この点からも開閉蓋を閉じたときの応力集中を抑えて、横曲がり部２５と傾斜曲がり部２７と連続曲がり部２８とのそれぞれに折り癖が付かないようになるという効果を奏する。
【００４９】
（縦曲がり部）
さらに張り出し領域部２１のゴム板取付具側の部分２２において、図４に示されているように左右の上記傾斜曲がり部２７の間にして縦曲がり部２９が位置するように設けられている。
【００５０】
上記縦曲がり部２９自体は、ゴム板取付具１７の弧形形成部２０によってゴム板幅方向での断面形状が上方に凸の略弧形となって、ゴム板折り曲がり幅方向Ｄが上記枢支部長手方向（即ち、横曲がり部２５のゴム板折り曲がり幅方向Ｂ）に直交する方向となり、ゴム板折り曲がり幅方向Ｄが横曲がり部２５の中央に向く部分である。
【００５１】
そして傾斜曲がり部２７では、開閉蓋６が閉じられるときに、そのゴム板折り曲がり幅方向Ｃに直交する方向での断面形状が下向きに凸となる曲がり方をするものであることに対し、縦曲がり部２９では当然のことながらゴム板折り曲がり幅方向Ｄに直交する方向での断面が略弧形であることから、開閉蓋６が閉じられたときに、この縦曲がり部２９の両側にある傾斜曲がり部２７それぞれで生じる応力を、縦曲がり部２９のゴム板幅方向での変形である程度吸収することとなり、傾斜曲がり部２７での応力集中や連続曲がり部２８での応力集中を抑えることができるようになるものである。
【符号の説明】
【００５２】
１…収納箱
２…取り出し口
４…蓋本体
４ａ…蓋本体の枢支部側の部分
６…開閉蓋
６ａ…開閉蓋の枢支部側の部分
７…蓋構造体
８…膜体
１５…枢支部
１６…開閉蓋付勢手段
１７…ゴム板取付具
１８…ゴム板
２０…弧形形成部
２１…張り出し領域部
２４…中間部分
２５…横曲がり部
２７…傾斜曲がり部
２８…連続曲がり部
２９…縦曲がり部
【図１】
2018131247.tif 000003
【図２】
2018131247.tif 000004
【図３】
2018131247.tif 000005
【図４】
2018131247.tif 000006
【図５】
2018131247.tif 000007